(57)【要約】【課題】保持材を容易に取着することができ作業性を向上させることができる配線・配管材の保持装置及び該保持装置を形成する取着体を提供する。【解決手段】保持装置１１は、ダクトＤを保持可能な保持部Ｈを備える保持材１２と、該保持材１２の掛止部１８を取着可能な取着部２４を備えた取着体２２とより構成されている。保持材１２の掛止部１８には、幅広部１４と、該幅広部１４より幅狭な幅狭部１５と、幅広部１４及び幅狭部１５の間のスリット１７とが形成されている。取着体２２の取着部２４には、幅広部１４よりも幅広な第１孔２７と、第１孔２７に連通し幅広部１４より幅狭であり幅狭部１５より幅広である第２孔２８と、第２孔２８に連通し幅狭部１５より幅狭である第３孔２９とが形成されている。【選択図】      図１
2005337344.tif 000002
【特許請求の範囲】
【請求項１】
配線又は配管材を保持可能な保持材と、該保持材を取着可能な取着部を備えた取着体とより構成される配線・配管材の保持装置であって、前記保持材には、幅広部と、該幅広部より幅狭な幅狭部と、前記幅広部と前記幅狭部との間に形成されるスリットと、前記幅広部と前記幅狭部とを連結する連結部とが形成されている配線・配管材の保持装置において、
前記取着体の取着部には、前記幅広部よりも幅広な第１孔と、前記第１孔に連通し幅広部より幅狭であり前記幅狭部より幅広である第２孔と、前記第２孔に連通し幅狭部より幅狭であり前記連結部より幅広である第３孔とが形成され、
前記幅広部が前記第１孔を通過しさらに前記幅狭部が前記第２孔内に配置された状態では、幅広部が前記取着部に当接するように形成され、前記幅広部が取着部に当接した状態では、前記連結部を前記第３孔内に配置し前記スリットに第３孔の開口の側部に位置する取着部を嵌入させることを可能とすることを特徴とする配線・配管材の保持装置。
【請求項２】
前記取着体は取着部の面に対して直交する面に沿う固定部を備える請求項１に記載の配線・配管材の保持装置。
【請求項３】
前記保持材は帯状体より長尺状に形成され、前記連結部を挟んだ幅広部と幅狭部とが、前記帯状体の長さ方向へ交互に配列されている請求項１又は請求項２に記載の配線・配管材の保持装置。
【請求項４】
前記幅広部には別の幅広部を貫通可能とする貫通孔が形成され、該貫通孔を貫通した別の幅広部に隣接する幅狭部が貫通孔の周縁部に掛止されて形成された環状部により前記配線又は配管材を保持する保持部が形成される請求項３に記載の配線・配管材の保持装置。
【請求項５】
配線又は配管材を保持可能であるとともに、幅広部と、該幅広部より幅狭な幅狭部と、前記幅広部と幅狭部との間に形成されるスリットと、前記幅広部と前記幅狭部とを連結する連結部とが形成されている保持材を取着可能とし、該保持材とともに配線・配管材の保持装置を構成する取着体であって、
前記保持材を取着可能とする取着部を備え、該取着部には、前記幅広部よりも幅広な第１孔と、前記第１孔に連通し幅広部より幅狭であり前記幅狭部より幅広である第２孔と、前記第２孔に連通し幅狭部より幅狭であり前記連結部より幅広である第３孔とが形成され、
前記幅広部が前記第１孔を通過しさらに前記幅狭部が前記第２孔内に配置された状態では、前記取着部に幅広部が当接するように形成され、前記取着部に幅広部が当接した状態では、前記連結部を前記第３孔内に配置させ第３孔の開口の側部に位置する取着部をスリットに嵌入させることを可能とすることを特徴とする取着体。
【請求項６】
前記取着体は取着部の面に対して直交する面に沿う固定部を備える請求項５に記載の取着体。
【発明の詳細な説明】
【技術分野】
【０００１】
本発明は、例えば天井にダクトを吊り下げるための配線・配管材の保持装置及び該保持装置を構成する取着体に関する。
【背景技術】
【０００２】
この種の保持装置としては、例えば特許文献１に開示されるものがある。図８（ａ）に示すように、保持装置９０は、例えばダクト９９（配管材）を保持可能な帯状体（保持材）９１と、天井より吊り下げられた吊り下げ金具（取着体）９２とより構成されている。前記吊り下げ金具９２は天井に取付けられ、その下端に設けられた被掛止部９３が天井から吊り下げられている。図８（ｂ）に示すように、前記被掛止部９３は四角板状をなし、該被掛止部９３には横長形状をなす幅広貫通孔９３ａと、幅広貫通孔９３ａに連通し幅広貫通孔９３ａより幅狭の幅狭貫通孔９３ｂとがそれぞれ被掛止部９３を厚み方向へ貫通して穿設されている。
【０００３】
図８（ａ）に示すように、前記帯状体９１は長尺状の金属板からなり、複数の掛止部９４が帯状体９１の長さ方向に一定間隔毎に配列されている。前記掛止部９４は横長四角形状の幅広部９４ａと、幅広部９４ａに連設され、幅広部９４ａよりも幅狭な幅狭部９４ｂより形成されている。前記幅広部９４ａは幅広貫通孔９３ａより若干小さく形成され、幅広貫通孔９３ａに挿通可能に形成されている。また、幅狭部９４ｂは幅狭貫通孔９３ｂより若干小さく形成されている。
【０００４】
そして、幅広貫通孔９３ａ内に幅広部９４ａを挿入し、帯状体９１を下方へ移動させて幅狭部９４ｂを幅狭貫通孔９３ｂ内に入り込ませる。すると、幅広部９４ａが幅狭貫通孔９３ｂの開口側部となる被掛止部９３に掛止され、掛止部９４及び被掛止部９３によって帯状体９１が吊り下げ金具９２に取着される。そして、帯状体９１の下端側にダクト９９が保持されることによって、ダクト９９が天井から吊り下げ保持される。
【特許文献１】特開２０００−３９０８６号公報（［００１５］〜［００２２］、図６）
【発明の開示】
【発明が解決しようとする課題】
【０００５】
ところで、上記保持装置を形成する作業においては、幅広部９４ａを幅広貫通孔９３ａに挿入し、幅狭部９４ｂを幅狭貫通孔９３ｂ内に入り込ませるために帯状体９１を下方へ引張ると幅広部９４ａが幅広貫通孔９３ａから容易に抜け出てしまう。また、幅広部９４ａが幅広貫通孔９３ａに挿入された状態において、幅狭部９４ｂと幅狭貫通孔９３ｂとの位置が合致しにくく幅狭部９４ｂを幅狭貫通孔９３ｂ内に入り込ませて幅広部９４ａを幅狭貫通孔９３ｂの開口側部となる被掛止部９３に掛止させにくい。このため、帯状体９１を吊り下げ金具９２に取着する作業は非常に行いにくく、特に、吊り下げ金具９２は天井といった高所に設置されることが多いため長尺状をなす帯状体９１を吊り下げ金具９２に取着する作業は上述したような要因等から非常に困難であった。
【０００６】
本発明の目的は、保持材を容易に取着することができ作業性を向上させることができる配線・配管材の保持装置及び該保持装置を形成する取着体を提供することにある。
【課題を解決するための手段】
【０００７】
上記問題点を解決するために、請求項１に記載の発明は、配線又は配管材を保持可能な保持材と、該保持材を取着可能な取着部を備えた取着体とより構成される配線・配管材の保持装置であって、前記保持材には、幅広部と、該幅広部より幅狭な幅狭部と、前記幅広部と前記幅狭部との間に形成されるスリットと、前記幅広部と前記幅狭部とを連結する連結部とが形成されている配線・配管材の保持装置において、前記取着体の取着部には、前記幅広部よりも幅広な第１孔と、前記第１孔に連通し幅広部より幅狭であり前記幅狭部より幅広である第２孔と、前記第２孔に連通し幅狭部より幅狭であり前記連結部より幅広である第３孔とが形成され、前記幅広部が前記第１孔を通過しさらに前記幅狭部が前記第２孔内に配置された状態では、幅広部が前記取着部に当接するように形成され、前記幅広部が取着部に当接した状態では、前記連結部を前記第３孔内に配置し前記スリットに第３孔の開口の側部に位置する取着部を嵌入させることを可能とすることを要旨とする。
【０００８】
請求項５に記載の発明は、配線又は配管材を保持可能であるとともに、幅広部と、該幅広部より幅狭な幅狭部と、前記幅広部と幅狭部との間に形成されるスリットと、前記幅広部と前記幅狭部とを連結する連結部とが形成されている保持材を取着可能とし、該保持材とともに配線・配管材の保持装置を構成する取着体であって、前記保持材を取着可能とする取着部を備え、該取着部には、前記幅広部よりも幅広な第１孔と、前記第１孔に連通し幅広部より幅狭であり前記幅狭部より幅広である第２孔と、前記第２孔に連通し幅狭部より幅狭であり前記連結部より幅広である第３孔とが形成され、前記幅広部が前記第１孔を通過しさらに前記幅狭部が前記第２孔内に配置された状態では、前記取着部に幅広部が当接するように形成され、前記取着部に幅広部が当接した状態では、前記連結部を前記第３孔内に配置させ第３孔の開口の側部に位置する取着部をスリットに嵌入させることを可能とすることを要旨とする。
【０００９】
したがって、請求項１及び請求項５の発明においては、保持材を取着体に取着するために、幅広部を第１孔内に挿入した後、保持材が第１孔内から第２孔内へ移動するように保持材を引張ると、幅広部が、第２孔の開口の側部となる取着部に当接する。そして、第２孔に連通する第３孔は、第２孔より幅狭に形成されているため、保持材を第２孔内から第３孔内へ移動するように引張っても、幅広部を取着部（第３孔の開口の側部）に当接させた状態を維持することができる。したがって、保持材を引張りながら連結部を第３孔内に配置させ、スリットに第３孔の開口の側部を嵌入させる作業を行うことができる。その結果、スリットに取着部における第３孔の開口の側部を嵌入させ、保持材を取着体に取着する作業を容易に行うことができる。特に、取着体が高所に設置されていても、幅広部を取着体に当接させることができるため、スリットへの、取着部における第３孔の開口の側部の嵌入作業を容易とし、保持材を取着体に取着する作業を容易に行うことができる。
【００１０】
請求項２に記載の発明は、請求項１に記載の配線・配管材の保持装置において、前記取着体は取着部の面に対して直交する面に沿う固定部を備えることを要旨とする。
請求項６に記載の発明は、請求項５に記載の取着体において、前記取着体は取着部の面に対して直交する面に沿う固定部を備えることを要旨とする。
【００１１】
したがって、請求項２及び請求項６の発明においては、第１孔を通過した保持材が、固定部によって取着部の面に対して交差する方向へ延びるように案内される。したがって、保持材が第１孔内から第２孔内へ移動するように保持材を引張ったとき、幅広部が取着部に当接しやすくなる。
【００１２】
請求項３に記載の発明は、請求項１又は請求項２に記載の配線・配管材の保持装置において、前記保持材は帯状体より長尺状に形成され、前記連結部を挟んだ幅広部と幅狭部とが、前記帯状体の長さ方向へ交互に配列されていることを要旨とする。したがって、請求項３の発明においては、保持材の好適な態様について言及するものであり、保持材の長さ調整を容易に行うことができる。
【００１３】
請求項４に記載の発明は、請求項３に記載の配線・配管材の保持装置において、前記幅広部には別の幅広部を貫通可能とする貫通孔が形成され、該貫通孔を貫通した別の幅広部に隣接する幅狭部が貫通孔の周縁部に掛止されて形成された環状部により前記配線又は配管材を保持する保持部が形成されることを要旨とする。したがって、保持材に保持部を容易に形成して、配線・配管材の保持作業を容易とすることができる。
【発明の効果】
【００１４】
上記構成の本発明によれば、保持材を容易に取着することができ作業性を向上させることができる。
【発明を実施するための最良の形態】
【００１５】
以下、本発明の配線・配管材の保持装置及び該保持装置を構成する取着体を具体化した一実施形態を図１〜図７にしたがって説明する。
図１に示すように、配線・配管材の保持装置（以下、単に「保持装置」と記す）１１は、長尺状をなす保持材１２と、該保持材１２が取着される取着体２２とより構成されている。
【００１６】
まず、保持材１２について説明する。図２に示すように、保持材１２は、合成樹脂材料又は金属材料製の長尺状をなす帯状体より形成されている。保持材１２には複数の幅広部１４及び幅狭部１５が交互に連続して形成され、隣接する幅広部１４と幅狭部１５とは連結部１６によって連結されている。保持材１２において、連結部１６に対する保持材１２の幅方向の両側方にはスリット１７が形成されている。そして、保持材１２においては、幅狭部１５、スリット１７及び幅広部１４が１セットで掛止部１８を形成し、保持材１２の長さ方向に複数の掛止部１８が連続して形成されている。なお、保持材１２の両先端には幅狭部１５が形成されている。
【００１７】
保持材１２の幅方向に沿った幅広部１４の幅はＷ１、幅狭部１５の幅はＷ２、連結部１６の幅はＷ３に設定されている。また、保持材１２の長さ方向に沿ったスリット１７の幅はＷ４に設定されている。各幅広部１４の中央部には貫通孔１９が幅広部１４を厚さ方向に貫通して形成されている。貫通孔１９は保持材１２の幅方向へ延びる幅広貫通孔１９ａを備えている。また、貫通孔１９は幅広貫通孔１９ａに対して保持材１２の長さ方向前後に位置する幅狭貫通孔１９ｂを備える。両幅狭貫通孔１９ｂは幅広貫通孔１９ａより保持材１２の幅方向への長さが小さく形成されているとともに幅広貫通孔１９ａに連通している。また、幅広貫通孔１９ａから幅狭貫通孔１９ｂへ繋がる位置には、貫通孔１９内へ突出するようにして抜け規制部１９ｃが形成されている。保持材１２の幅方向に対向する抜け規制部１９ｃ間の長さは前記幅Ｗ３より小さくなっている。
【００１８】
図１に示すように、上記構成の保持材１２は、両端部のうちいずれか一方の端部側（下端部側）を環状に湾曲させ、下端部の幅狭部１５に連設された連結部１６を、該幅狭部１５が向き合う幅広部１４の幅狭貫通孔１９ｂ内に入り込ませると、幅狭部１５の両側縁部を幅広部１４に掛止させることができる。このように構成すると、前記掛止によって、幅広部１４の面に対して交差する方向への、幅狭部１５の貫通孔１９からの抜けが規制される。また、保持材１２の幅方向に対向する抜け規制部１９ｃによって幅広部１４の面に沿う方向への、連結部１６の貫通孔１９（幅狭貫通孔１９ｂ）からの抜けが規制される。その結果、保持材１２の下側には環状部を形成することが可能となる。したがって、配管材としてのダクトＤの周面に沿って保持材１２を沿わせ、上記のように環状部を形成することによってダクトＤを保持材１２によって保持することができ、この環状部によって保持材１２に保持部Ｈが形成される。
【００１９】
次に、取着体２２について説明する。図３（ａ）、（ｂ）及び図４に示すように、取着体２２は、合成樹脂材料により形成され、四角板状をなす固定部２３と、略Ｙ字状をなす取着部２４とが一体に形成されてなる。固定部２３は、取着部２４の一面たる表面２４ａ及び他面たる裏面に対して直交する面に沿うように形成されている。固定部２３の一方の面たる表面２３ａには凹所２３ｂが複数箇所に形成されている。固定部２３の他方の面たる取着部２４側の裏面２３ｃには取着部２４が一体形成されている。また、裏面２３ｃには、ガイド溝２５が取着部２４の面に対して直交する方向へ延びるように形成されている。ガイド溝２５の幅方向（長さ方向に対して直交する方向）への長さは幅狭部１５の幅Ｗ２より若干短く形成されている。
【００２０】
取着部２４には、取着部２４の表面２４ａから裏面にまで達する取着孔２１が取着部２４の厚み方向に貫通して形成されている。図４に示すように、取着孔２１は、長さの異なる３つの孔より形成されている。すなわち、取着部２４において固定部２３側には、細長状の第１孔２７が形成されている。第１孔２７の長さ方向への長さはＬ１に設定されている。この第１孔２７の長さＬ１は、幅広部１４の幅Ｗ１より若干長く形成され、幅広部１４より幅広に形成されている。すなわち、第１孔２７に幅広部１４を挿入することが可能となっている。
【００２１】
取着部２４には、細長状の第２孔２８が形成されている。この第２孔２８は、第１孔２７の長さ方向に沿って連通している。第２孔２８の長さ方向への長さはＬ２に設定されている。この第２孔２８の長さＬ２は、幅狭部１５の幅Ｗ２より若干長く形成され、幅狭部１５より幅広に形成されている。また、第２孔２８の長さＬ２は、幅広部１４の幅Ｗ１より短く形成され、幅広部１４より幅狭に形成されている。
【００２２】
取着部２４には、細長状の第３孔２９が形成されている。この第３孔２９は、第２孔２８の長さ方向に沿って連通している。第３孔２９の長さ方向への長さはＬ３に設定されている。この第３孔２９の長さＬ３は、連結部１６の幅Ｗ３より若干長く形成され、連結部１６より幅広に形成されている。また、第３孔２９の長さＬ３は、幅狭部１５の幅Ｗ２より短く形成されている。そして、取着体２２の中心軸線をＭとしたとき、第１孔２７、第２孔２８及び第３孔２９は、それぞれ中心軸線Ｍに対して線対称となるように形成されている。
【００２３】
第１孔２７と第２孔２８とが繋がる位置、及び第２孔２８と第３孔２９とが繋がる位置には、それぞれ戻り規制突起３０が各孔の内側に向かって突出形成されている。第１孔２７と第２孔２８とが繋がる位置に形成された一対の戻り規制突起３０間の長さは、長さＬ２より短くなっている。また、第２孔２８と第３孔２９とが繋がる位置に形成された一対の戻り規制突起３０間の長さは、長さＬ３より短くなっている。
【００２４】
図３（ａ）に示すように、取着部２４における厚みＴは、スリット１７の長さＷ４より大きくなっている。取着部２４の先端には差込突起３１が突設されている。この差込突起３１は長さ方向の途中となる周面に折り取り溝３１ａが形成され、折り取り溝３１ａから差込突起３１の先端側を折り取り、差込突起３１を短くすることができるようになっている。差込突起３１は、取着体２２を天井面等の高所に固定するときに、長尺状の棒材（図示せず）の端部に差し込むようにして使用され、取着体２２を棒材の先端部に取付けるために設けられている。
【００２５】
次に、上記保持材１２と取着体２２とを用いて保持装置１１を形成し、ダクトＤを天井に吊り下げる方法について説明する。
まず、棒材（図示せず）の先端に差込突起３１を差し込み、棒材の先端に取着体２２を取付ける。次いで、固定部２３の表面２３ａに接着剤を塗布し、棒材により取着体２２における表面２３ａを天井面に押し付け、接着剤によって取着体２２を天井面に接着して取着体２２を天井に固定する。このとき、凹所２３ｂに接着剤が侵入するため、表面２３ａに凹所２３ｂが形成されていない場合と比較して、表面２３ａに塗布可能な接着剤の量を増やすことができる。すなわち、取着体２２を天井に接着しやすくなる。
【００２６】
次に、図５に示すように、保持材１２の一端側（上端側）の幅狭部１５を、第１孔２７に斜め下方から挿入し、さらに、保持材１２を押し込んで同じ第１孔２７に幅広部１４を挿入する。このとき、幅狭部１５がガイド溝２５内に入り込み、ガイド溝２５の内面（裏面２３ｃ）に当接する。この当接状態で保持材１２がさらに第１孔２７内に押し込まれると、保持材１２は、ガイド溝２５によって取着部２４の面に対して直交する方向へ押し込まれるように案内される。
【００２７】
図６に示すように、幅狭部１５及び幅広部１４が第１孔２７内を通過し裏面側に達した後、保持材１２が第１孔２７内から第２孔２８内へ移動するように、保持材１２を他端側から下方へ引張る。すると、幅広部１４の両側端部が、第２孔２８の開口の側部となる取着部２４の裏面に当接し、さらに、その裏面に当接した幅広部１４よりも保持材１２の他端側の連結部１６が第２孔２８内に入りこむ。
【００２８】
続けて、図７に示すように、第２孔２８内の連結部１６が第３孔２９内へ移動するように、保持材１２を他端側から下方へ引張る。このとき、幅広部１４が取着部２４の裏面に当接しているため、保持材１２が取着体２２から外れることがない。このため、保持材１２を下方へ引張りながら、連結部１６が第３孔２９に合致するように保持材１２の位置合わせ作業を行うことができる。そして、連結部１６が第２孔２８の内縁部に押し当てられた状態で下方へ引張られているため、連結部１６と第３孔２９とが合致すると第３孔２９内に連結部１６が速やかに入り込む。
【００２９】
第３孔２９内に連結部１６が入り込むと、スリット１７には第３孔２９の開口の側部が嵌入される。すなわち、取着部２４の表面２４ａ側に位置する幅狭部１５が、第３孔２９の開口の側部における表面２４ａに掛止し、取着部２４の裏面側に位置する幅広部１４が、第３孔２９の開口の側部における裏面に掛止する。このため、取着部２４に対して交差する方向へ保持材１２が移動することが規制される。また、第３孔２９内に入り込んだ連結部１６は、第２孔２８と第３孔２９とが繋がる位置に形成された一対の戻り規制突起３０によって第３孔２９から第２孔２８側へ移動することが規制される。したがって、保持材１２が取着部２４から抜け出ることが規制され、取着体２２の取着部２４に保持材１２が取着される。すなわち、保持材１２と取着体２２とより保持装置１１が形成される。最後に、図１に示すように、保持材１２の下部側で保持部Ｈを形成し、保持部ＨによってダクトＤを保持することにより、保持装置１１を使用してダクトＤを天井から吊り下げることができる。
【００３０】
上記実施形態によれば、以下のような効果を得ることができる。
（１）取着体２２の取着部２４に第１孔２７、第２孔２８及び第３孔２９を連設し、第１孔２７を幅広部１４を通過可能な大きさに形成した。また、第２孔２８及び第３孔２９の開口の側部となる取着部２４の裏面に、第１孔２７を通過した幅広部１４を当接可能とした。このため、幅広部１４を取着部２４の裏面に当接させた状態で保持材１２を下方へ引張りながら、連結部１６を第１孔２７から第３孔２９に入り込ませることができる。すなわち、取着孔２１から保持材１２が抜け出るのを規制した状態でスリット１７に第３孔２９の開口の両側部を入り込ませる作業を行うことができ、取着体２２の取着部２４に保持材１２を取着する作業の作業性を向上させることができる。
【００３１】
（２）第２孔２８には、第３孔２９が連通しているため、第２孔２８に連結部１６が挿入された後は、第２孔２８の縁部によって連結部１６を第３孔２９へガイドすることができる。したがって、連結部１６を第３孔２９へ入り込ませてスリット１７に第３孔２９の開口の側部となる位置を嵌入させる作業の作業性を向上させることができる。
【００３２】
（３）第２孔２８と第３孔２９が繋がる位置には一対の戻り規制突起３０が形成されている。このため、第３孔２９に連結部１６が入り込んだ後は、一対の戻り規制突起３０によって連結部１６が第３孔２９から第２孔２８側へ抜け出ることを規制することができる。したがって、保持材１２が取着体２２から外れることを抑制することができる。
【００３３】
（４）保持材１２として長さ方向に複数の掛止部１８が配列されたものを使用し、幅狭部１５を幅広部１４に掛止させることによってダクトＤを保持する保持部Ｈを形成可能とした。また、取着体２２に保持材１２を取着する際にも掛止部１８を用いた。したがって、保持材１２一部材で取着体２２への取着とダクトＤの保持の２機能を発揮することができ、保持材１２にダクトＤ保持用に別の保持部を設ける場合と異なり保持装置１１の部材点数を少なくしてその構成を簡易化することができる。
【００３４】
（５）取着部２４には固定部２３が一体形成され、固定部２３の裏面２３ｃは取着部２４の表面２４ａ及び裏面に対して直交する面に沿うように形成されている。このため、第１孔２７を通過した保持材１２が、固定部２３の裏面２３ｃ（ガイド溝２５）によって取着部２４の面に対して交差する方向へ延びるように案内される。したがって、幅広部１４が取着部２４の裏面に当接しやすく、スリット１７に第３孔２９の側部が嵌入しやすい状態で保持材１２を下方へ引張っることができる。
【００３５】
（６）第１孔２７に保持材１２が挿入されたとき、ガイド溝２５によって連結部１６が第３孔２９の上方位置となり、スリット１７の延びる方向と表面２４ａ及び裏面とが平行をなすように保持材１２をガイドすることができる。したがって、保持材１２を下方へ引張ったとき、スリット１７に、取着部２４における第３孔２９の側部を嵌入しやすくすることができる。
【００３６】
なお、上記実施形態に係る保持装置１１及び取着体２２は本発明の一実施形態を示すものにすぎず、それぞれ、本発明の趣旨から逸脱しない範囲で変形することが可能である。例えば、以下に記すように変形することも可能であり、また、各変形例を、互いに矛盾しない範囲内で適宜組み合わせて実施することも可能である。
【００３７】
・  実施形態では、幅広部１４及び幅狭部１５を用いて保持材１２そのものにダクトＤの保持部Ｈを一体形成したが、保持材１２に紐、針金等の別部材を用いてダクトＤの保持部を設けてもよい。
【００３８】
・  実施形態では、保持材１２を、その長さ方向に沿って掛止部１８が複数に配列された構成としたが、保持材１２を、取着部２４に取着するために先端部のみに掛止部１８が形成されその他の部位が金属板、針金等により形成されているものとしてもよい。
【００３９】
・  保持材１２の形状は実施形態の形状に限定されるものではなく、取着部２４に保持材１２の幅広部１４を当接可能な構成を有し、該当接状態で第３孔２９の開口の側部に位置する取着部２４をスリット１７に嵌入可能とする構成を有するものであればその形状は限定されない。
【００４０】
・  取着体２２において、実施形態の効果（１）の効果については、固定部２３と取着部２４との構成によっても得ることができる。したがって、上記（１）の効果を得るうえでは固定部２３を割愛することができる。
【００４１】
・  実施形態では取着体２２を接着剤によって天井面に固着したが、固定部２３の表面２３ａに粘着テープを貼着し、その粘着テープによって取着体２２を天井面に固着してもよい。さらに、固定部２３から天井面にビスを固定して取着体２２を天井に固着してもよい。
【００４２】
・  実施形態では、取着体２２を天井に固着したが、取着体２２を柱の側面、壁面等に固着して保持装置１１を使用してもよい。
・  実施形態では、保持装置１１を使用してダクトＤを吊下げたが、配線としてのケーブル等を吊り下げてもよく、配管材としての保護管、エアコンの冷媒管、排水管等を吊り下げてもよい。
【００４３】
・  取着体２２における差込突起３１及びガイド溝２５の少なくとも一方を省略してもよい。
・  実施形態では、取着孔２１として第１孔２７、第２孔２８及び第３孔２９を形成したが、第１孔２７の長さＬ１より幅広の孔を第１孔２７に連通するように取着部２４に形成してもよい。
【００４４】
次に、上記実施形態及び別例から把握できる技術的思想について以下に追記する。
（１）配線又は配管材を保持可能な保持部を備える保持材と、該保持材を保持可能な取着部を備えた取着体とより構成される配線・配管材の保持装置であって、前記保持材には、幅広部と、該幅広部より幅狭な幅狭部と、幅広部及び幅狭部の間のスリットとが形成されている配線・配管材の保持装置において、
前記取着体の取着部には、前記幅広部よりも幅広な第１孔と、前記第１孔に連通し幅広部より幅狭であり前記幅狭部より幅広である第２孔と、前記第２孔に連通し幅狭部より幅狭である第３孔とが形成され、
前記第１孔に挿入した保持材を第２孔側へ引張ることにより、前記幅広部を取着部に当接させながら保持材を第２孔から第３孔側へ移動させ、さらに、前記スリットに第３孔の開口の側部を嵌入させて保持材を取着体に取着させることを可能とする配線・配管材の保持装置。
【図面の簡単な説明】
【００４５】
【図１】実施形態の保持装置を示す斜視図。
【図２】実施形態の保持材を示す部分図。
【図３】（ａ）及び（ｂ）は実施形態の取着体を示す斜視図。
【図４】実施形態の取着体を示す正面図。
【図５】取着体の第１孔に幅広部が挿入された状態を示す部分斜視図。
【図６】取着体の第２孔に連結部が入り込んだ状態を示す部分斜視図。
【図７】取着体の第３孔に連結部が入り込んだ状態を示す部分斜視図。
【図８】（ａ）は従来の保持装置を示す斜視図、（ｂ）は従来技術の吊り下げ金具を示す部分拡大図。
【符号の説明】
【００４６】
Ｄ…配管材としてのダクト、Ｈ…保持部、１１…配線・配管材の保持装置、１２…保持材、１４…幅広部、１５…幅狭部、１６…連結部、１７…スリット、１９…貫通孔、２２…取着体、２３…固定部、２４…取着部、２７…第１孔、２８…第２孔、２９…第３孔。
【図１】
2005337344.tif 000003
【図２】
2005337344.tif 000004
【図３】
2005337344.tif 000005
【図４】
2005337344.tif 000006
【図５】
2005337344.tif 000007
【図６】
2005337344.tif 000008
【図７】
2005337344.tif 000009
【図８】
2005337344.tif 000010